(57)【特許請求の範囲】
【請求項１】
一方が開放し他方が袋状であるユニオンナットと、
前記ユニオンナットの袋状側に挿入され且つ一方の配管部材に接続されるユニオンつばと、
前記ユニオンナットの開放側の内径部に螺子結合し、一端が第１のパッキンを介して前記ユニオンつばの一端と突き合わせ可能なユニオンねじと、
前記ユニオンねじの内径部に第２のパッキンを介して一部が挿入され、その挿入量が前記ユニオンねじとの相対的な軸方向のスライドにより調整可能な配管部材となるスライド部材と、を備えた伸縮ユニオン継手において、
前記ユニオンねじには、前記スライド部材の外径部を締め付けて該スライド部材の固定を行なうロックボルトが設けられ、
前記スライド部材の外径部には、前記ユニオンねじに挿入される側からその反対側に向けて径が小さくなるようなテーパ部が設けられ、このテーパ部に前記ロックボルトの先端が当接するように構成されていることを特徴とする伸縮ユニオン継手。
【請求項２】
請求項１において、
前記第２のパッキンは、内部流体圧力により自立的にパッキンが外側に広がって前記スライド部材の外径と前記ユニオンねじの内径とに密着する自立密封型パッキンであり、このパッキン収容溝が、前記スライド部材の外径部に設けた2条の環状突起により形成され、この環状突起のうち、前記スライド部材の前記ユニオンねじへ挿入される側の一端に近い方の環状突起には、その外周縁に断面が円弧状の曲面部が設けてある伸縮ユニオン継手。
【請求項３】
請求項２において、前記環状突起のうち、前記スライド部材の前記ユニオンねじへ挿入される側の一端に近い方の環状突起には、配管内の流体圧力を前記自立密封型パッキンに導く圧力導入孔が設けてある伸縮ユニオン継手。
【請求項４】
請求項２又は３において、前記環状突起のうち、前記スライド部材の前記ユニオンねじへ挿入される側の一端に近い方の環状突起には、配管内の流体圧力を前記自立密封型パッキンに導く切り欠きが設けてある伸縮ユニオン継手。
【請求項５】
請求項１ないし４のいずれか１項において、前記ユニオンねじは、螺子結合される２つの筒状部材により形成され、そのうちの径の小さい方の筒状部材に前記スライド部材が挿通され、この小さい方の筒状部材に前記スライド部材を固定する前記ロックボルトが設けられている伸縮ユニオン継手。
【発明の詳細な説明】
【技術分野】
【０００１】
本発明は、例えば原子力発電プラント或いは配管設備を有する一般プラント等で使用される新規な伸縮ユニオン継手及びそれを用いた流体移送配管系に関する。
【背景技術】
【０００２】
従来より、この種ユニオン継手として、一方の配管に取付けられるユニオンねじと、他方の配管に取付けられるユニオンつばと、これらの両者を連結するユニオンナットからなるユニオン継手が知られている。
【０００３】
例えば、特許文献１（特開2005-3038号公報）に記載の伸縮ユニオン継手構造では、ユニオンナットを緩めて該ナットがユニオンねじから離れた状態になった場合には、ユニオンねじとユニオンつばとが切り離された状態にある。また、この状態では、一方の配管（スライド部材或いはスリーブと称されている）とユニオンねじとは、軸方向に相対的にスライド可能である。
【０００４】
ユニオンナットを締め付けてユニオンねじとユニオンつばとが連結された状態では、このユニオン継手を介して配管同士も接続される。ユニオンねじの内径と前記一方の配管の外径との間には、自立密封型パッキンが介在し、配管から導入される流体圧力により断面Uの字型のパッキンが外側に押し広がり、ユニオンねじの内径と前記一方の配管の外径とに密着してシールが行われる。
【０００５】
この従来技術は、ユニオンナットを緩めてユニオンねじが該ナットから離れると、ユニオンねじが配管上をスライド可能になる。それによって配管に装着した自立密封型パッキンが露出し、パッキンの交換を、配管をそのままの据付にした状態で行い得る利点がある。
【０００６】
上記ユニオン継手は、配管系の機器間、例えば、バルブ間或いはバルブとフィルタ間の配管同士を接続する継手として使用される。本出願人は、さらに特許文献２（特願2006-310939号）において、上記同様のユニオン継手において、ユニオンねじへの配管(スライド部材或いはスリーブ)の引き込み量を調整し、調整後にユニオンねじに設けたロックボルトの締め付けによりこの配管を固定して、ユニオン継手とバルブ等の機器との間の配管長を伸縮調整可能にしたものを提案している。
【０００７】
【特許文献１】特開２００５−３０３８号公報
【特許文献２】特願２００６−３１０９３９号
【発明の開示】
【発明が解決しようとする課題】
【０００８】
上記したような従来技術において、ユニオン継手とバルブ等の機器との間の配管長を伸縮調整可能にしたものは、接続対象の配管の据え付けをそのままにした状態で配管長の調整を可能にする利点を有している。しかしながら、据え付け状態の配管同士の軸心に相対的な傾きが生じている場合の継手としてのフレキシビリティ、接続作業の容易性についての技術的配慮は開示されていない。
【０００９】
また、配管内の流体圧力は、ユニオン継手内に引き込まれた配管（スライド部材或いはスリーブ部材）の一端に異常圧力が加わり、それが配管の軸方向の変位を伴って該配管の他端に接続されたバルブやフィルタなどの機器に伝わり、配管系機器や配管の損傷をもたらすことが懸念される。
【００１０】
さらには、ユニオン継手と配管との間をシールする自立密封型パッキンのシール性の向上が望まれている。
【００１１】
本発明は、以上のような諸々の課題を解決して、ユニオン継手による配管接続作業やメンテナンス作業の簡便性やユニオン継手の機能上の信頼性を高めることのできる伸縮継手型ユニオン継手及びそれを用いた流体移送系配管を提供することにある。
【課題を解決するための手段】
【００１２】
本発明は、基本的には、次のように構成される。
【００１３】
一方が開放し他方が袋状であるユニオンナットと、
前記ユニオンナットの袋状側に挿入され且つ一方の配管部材に接続されるユニオンつばと、
前記ユニオンナットの開放側の内径部に螺子結合し、一端が第１のパッキンを介して前記ユニオンつばの一端と突き合わせ可能なユニオンねじと、
前記ユニオンねじの内径部に第２のパッキンを介して一部が挿入され、その挿入量が前記ユニオンねじとの相対的な軸方向のスライドにより調整可能な配管部材となるスライド部材と、を備えた伸縮ユニオン継手において、
前記ユニオンねじには、前記スライド部材の外径部を締め付けて該スライド部材の固定を行なうロックボルトが設けられ、
前記スライド部材の外径部には、前記ユニオンねじに挿入される側からその反対側に向けて径が小さくなるようなテーパ部が設けられ、このテーパ部に前記ロックボルトの先端が当接するように構成されている。
【００１４】
好ましくは、前記第２のパッキンは、内部流体圧力により自立的にパッキンが外側に広がって前記スライド部材の外径と前記ユニオンねじの内径とに密着する自立密封型パッキンである。このパッキン収容溝が前記スライド部材の外径部に設けた2条の環状突起により形成され、この環状突起のうち、前記スライド部材の前記ユニオンねじへ挿入される側の一端に近い方の環状突起には、その外周縁に断面が円弧状の曲面部が設けてある。
【００１５】
さらに、好ましくは、前記環状突起のうち、前記スライド部材の前記ユニオンねじへ挿入される側の一端に近い方の環状突起には、配管内の流体圧力を前記自立密封型パッキンに導く圧力導入孔及び切欠きの少なくとも一つが設けてある。
【発明の効果】
【００１６】
上記構成によれば、ユニオン継手による配管接続作業やメンテナンス作業の簡便性やユニオン継手の機能上の信頼性を高めることができる。
【発明を実施するための最良の形態】
【００１７】
（実施例１）
図１は、本発明の第1実施例に係る伸縮ユニオン継手の上部半截断面図及びその一部拡大断面図である。図２は、上記伸縮ユニオン継手の配管の一方として用いる管状のスライド部材（接続対象の配管の一方となり、「スリーブ」と称されることもある）とそれに装着される自立密封型パッキンの斜視図である。図３は、上記スライド部材を図１のＥ方向からみた側面図である。
【００１８】
図１に示すように、本実施例の伸縮ユニオン継手は、配管１の一端に溶接１５を介して取付けられるユニオンつば２と、他方の配管となる管状スライド部材８の一端に取付けられるユニオンねじ３と、ユニオンつば2及びユニオンねじ３の両者を連結するユニオンナット４とを有する。ここで、スライド部材８は、一部がユニオンねじ３に挿入され、ユニオンねじ３に複数配設したロックボルト６により締め付けられて固定される。スライド部材８のユニオンねじ３内への挿入量は調整可能である。それによりユニオンねじ３から出たスリーブ８の長さＬ（すなわちユニオンねじ３と弁（又はフィルタ）１３間の長さＬ）を伸縮調整可能であるため、スライド部材８は、伸縮スライド部材或いは伸縮スリーブと称せられることもある。
【００１９】
ユニオンつば２は、一端につば部２０を有する筒状部材であり、つば部２０と反対側に配管１を挿入するためのインサート部２１が設けられる。インサート部２１に挿入された配管１とユニオンつば２とは、溶接１５により結合されている。
【００２０】
ユニオンねじ３は、大径部３Ａと小径部３Ｂとを有する筒状部材であり、大径部３Ａの外周にユニオンナット４と螺子結合する雄ねじ部が形成されている。この螺子結合は、符号３０で示される。
【００２１】
ユニオンナット４は、一端が開口する袋ナットにより構成され、開口側の内面に、上記螺子結合３０のための雌ねじ部が切ってある。ユニオンナット４は、ユニオンつば２にナットの締め付け、緩め動作の回動が可能となるよう装着され、ユニオンつば２に設けたつば部２０により、ユニオンつば２との間で相互の抜け止めを図っている。
【００２２】
ユニオンねじ３の一端面、すなわちユニオンつば２との突き合わせ面には、スクィーズパッキン５を嵌め込んだ環状溝３１が形成されている。ユニオンねじ３も袋状に形成され、その内径部には、スライド部材８の一部が抜け止め構造（後述する）により挿入されている。ユニオンねじ３の内径は、スライド部材８の自立密封型パッキン７を装着した部位を受け入れる内径部を有する。ユニオンねじ３の小径部３Ｂには、その径方向にねじ孔３２が設けられ、このねじ孔３２に、スライド部材８の外径部を締め付けてスライド部材８を固定するロックボルト６が装着されている。ロックボルト６は、ユニオンねじ３の周方向に複数本、すなわち2本以上好ましくは３本以上等間隔に装着されている。
【００２３】
ユニオンねじ３へのスライド部材８の挿入量は、ロックボルト６を緩めることで調整できる。既述したように、この挿入量の調整により、スライド部材８のユニオンねじ３から出た部分Ｌを伸縮調整可能としてある。スライド部材８の挿入量の調整は、スライド部材８の外周に設けたスケール焼付け部１２を見ながら行うことが可能である。
【００２４】
このスライド部材８の挿入量は、配管系の弁（又はフィルタ）１３とユニオン継手との距離に応じて適宜調整されるが、スライド部材８の先端面とこれに対向するユニオンつば２の先端面との間に配管軸方向にギャップGを確保し得るように調整される。このギャップGは、ユニオンねじ３の内径部で確保され、スライド部材８に設けた流体圧力導入孔８３（後述する）に配管の流体圧を導入するために必要とされる。
【００２５】
ユニオンねじ３の外周には、フラット部１１が複数配設される。ユニオンナット４とユニオンねじ３とをねじ結合する場合には、ユニオンねじ３をフラット部１１でスパナにより保持した状態で、ユニオンナット４を締め付けることで行われる。
【００２６】
スライド部材８は、ユニオンねじ３に挿入されている部分と反対側の外周一端に雄ねじ部８４（図２に示す）が切られており、この雄ねじ部８４が配管系統の弁（又はフィルタ部）１３の雌ねじ部（図示省略）とシール性を保ちつつ螺子結合されている。
【００２７】
スライド部材８は、ユニオンねじ３に挿入される側の一端に、自立密封型パッキン７を嵌め込んで装着するパッキン取付け用の環状溝８０が形成されている。環状溝８０は、スライド部材８の外径部に形成した２条の環状突起８１及び８２により形成されている。
【００２８】
環状突起８２は、ユニオンねじ３の袋部内周と協働して、ユニオンねじ３からスライド部材８が抜けるのを防止する機能もなしている。
【００２９】
スライド部材８の先端（ユニオンねじ３に挿入される側の一端）近くに設けられた環状突起８１は、その外周部が断面円弧の曲面形状８１aをなしている。また、環状突起８１には、配管中に流れる流体の流体圧を上記したギャップGを介して自立密封型パッキン７に導入するための流体圧導入孔８３が設けられている。流体圧導入孔８３は、好ましくは複数個であり、周方向に等間隔に配設されている。
【００３０】
自立密封型パッキン７は、フッ素系ゴム、シリコーン系ゴムなどが用いられる。このパッキン７は、内部流体の内圧P１が受け易くなるように断面Ｕの字型に形成され、内圧を受けることによりパッキン７の外径面がユニオンねじ３の内径面に密着し、またパッキン７の内径面がスライド部材８の外径面に密着してシール機能をなす。
【００３１】
スライド部材８は、その外径部に僅かな傾斜角度をなすテーパＴが設けてある。このテーパＴは、少なくとも環状突起８２とねじ部８４との間の外径部には確保され、環状突起８２側（ユニオンねじに挿入される側）からねじ部８４側（挿入側と反対側）に向けて径が小さくなるように設定され、そのテーパ率は、例えば1/75（75mmの長さに対して径が1ｍｍ減少）〜1/125（125mmの長さに対して径が1ｍｍ減少）の範囲が望ましい。本実施例では、1/100のテーパ率にしてある。本実施例では、配管１及びスライド部材８は、外径がJIS規格で１５Aから４０Aのものを使用している。
【００３２】
なお、伸縮ユニオン継手を構成するユニオンつば２、ユニオンねじ３、ユニオンナット４、スライド部材８は、例えばステンレス材で構成され、弁（又はフィルタ部）１３は、黄銅製である。
【００３３】
ここで、本実施例に係る伸縮ユニオン継手の利点について、上記スライド部材８のテーパＴを設けた理由も含めて説明する。
【００３４】
（１）伸縮ユニオン継手を用いて配管１と配管（スライド部材）８とを接続する場合、配管１側は予めユニオンつば２と溶接され、一方、スライド部材８は弁（又はフィルタ）１３と螺子結合される。このような、配管同士の据付時及び配管据付後であっても（配管１とスライド部材８の双方が配管系で固定された状態にあっても）、ロックボルト６を緩めておけば、ユニオンねじ３とスライド部材８とは、軸方向の相対移動が許されるので、配管1及びスライド部材８をそのままにした状態で、ユニオンねじ３のスライド部材８上の相対的なスライド位置調整を容易に行うことができる。位置調整後に、ユニオンねじ３に対するユニオンナット４の締め付けによる螺子結合を行うことで、配管１と配管（スライド部材）８との結合が完了する。
【００３５】
この配管接続作業において、スライド部材８に上記したテーパＴを設けているので、配管据付時に配管１とスライド部材８との間に芯ずれや相対的な傾き（図１の部分拡大図の一点鎖線に示すような）が生じた場合でも、その芯ずれや傾きをテーパＴとユニオンねじ３の内径部に生じるギャップにより吸収することができる。スライド部材８がユニオンねじ３に対して傾いた場合、図１の部分拡大部の一点鎖線に示すようにスライド部材８の環状突起８１がユニオンねじ３の内径部に片当たり（点接触或いは線接触）が生じるが、本実施例では、環状突起８１の外周縁を断面円弧曲面としているので、ユニオンねじ３や配管１にスライド部材８の片当たりによる損傷が発生するのを防止することができる。
【００３６】
また、ユニオン継手の配管接続調整作業時に、複数のロックボルト６の締め込み誤差により、スライド部材８がユニオンねじ３の内径部に上記同様に片あたりしても、片あたり部となる環状突起８１の外周縁曲面部がスライド部材８のユニバーサル的な傾き動作を許すことができる。したがって、ユニオンねじ３や配管１にスライド部材８の片当たりによる損傷が発生するのを防止することができる。
【００３７】
特に、ユニオン継手のシール性の見地から、ユニオンねじ３の内径部と環状突起８１の間のギャップA1を極小に設定しても、上記の片あたり接触を支障無く許すことができる。
【００３８】
（２）さらに上記テーパ部Ｔは、ロックボルト６と協働して次のような利点を有する。接続対象となる配管に流れる流体の圧力が異常上昇した場合、配管の流体圧はスライド部材８の先端縁にかかり、スライド部材８には弁（又はフィルタ）１３側への押圧力（図１の矢印X１方向の押圧力）が作用しようとするが、この押圧力を上記テーパ部Ｔとロックボルト６との係り止めによりロックボルト６で受け止める。その結果、スライド部材８から弁（又はフィルタ）１３への軸方向の異常押圧力が作用するのを防止し、配管系や弁（又はフィルタ）に損傷が生じるのを防止することができる。
【００３９】
（３）上記したように、A1部にてスライド部材８の片あたりがユニオンねじ３の内径部に発生した場合、自立密封型パッキン７とユニオンねじ３の内径部の間には、片あたりが発生した箇所と反対側にギャップが開き（増大）、何らの配慮が無い場合には、シール性が阻害されるおそれがある。自立密封型パッキンは、強度を高めるために、硬度を高く設定している。そのため、上記のような片あたりが生じた場合におけるフレキシビリティに若干難がある。本実施例では、この点については、環状突起８１に流体圧導入孔８３を設けることにより対処している。すなわち、従来はA1部を介して自立密封型パッキン７に内圧P1がかかるようにしていたが、本実施例では、流体圧導入孔８３を介して、自立密封型パッキン７を広げることができる内圧P1をより一層強める（すなわち、配管内の流体圧が流体圧導入孔８３を介して自立密封型パッキン７の内圧として直接的に影響を及ぼす）構造にしている。したがって、片あたりに対する自立密封型パッキン７のシール性の阻害を極力防止し、シール性の改善を図ることができる。
【００４０】
また、流体圧導入孔８３により、配管内部の流体の圧力変動に対しも、その配管の内部流体圧力と自立密封型パッキン部の内部圧力P1との間に差圧が生じない。
【００４１】
（４）なお、自立密封型パッキンがユニオン継手本体の緩衝材の役目を果たしているため、弁（又はフィルタ）１３の運転時の振動や地震時の動きに追従でき、配管系の負荷を軽減することができる。
【００４２】
本実施例においては、環状突起８１外径とユニオンねじ３内径との間の環状ギャップＡ１、環状突起８２外径とユニオンねじ３内径との間の環状ギャップＡ２、スライド部材８のテーパ部Ｔとユニオンねじ３内径との間の環状ギャップＡ３との関係を、Ａ１＜Ａ２＜Ａ３に設定することが可能となる。これらのギャップは、ラビリンスシール効果をもたらすことができる。
【００４３】
なお、上記実施例において、ユニオンねじ３におけるスライド部材８の挿入穴、特に小径部３Ｂの内径部にもスライド部材８のテーパと逆広がりのテーパを設けても良い。
【００４４】
図９に本発明に係るユニオン継手が使用される流体移送配管系の一例を示す。
【００４５】
本例における流体移送配管系は、レデューサ、フィルタなどの機器及びグローブ弁、チェック弁などのバルブと、これらの各々と本実施例にかかる伸縮ユニオン継手によって接続される流体移送系配管とを備える。
【００４６】
図９に示すようにユニオン継手は、原子力発電プラントをはじめ多くの一般配管設備で使用されており、かつ定期的な点検が行われる箇所でもある。本実施例のユニオン継手は、据付後の配管について、配管をそのままにして、ユニオン継手側のユニオンナットを緩め、締め付けによる調整作業だけで配管を簡単にしかも配管機器を損傷させることがなく接続できる。しかも、ユニオンナットの緩め、締め付け作業だけで、配管をそのままの据付状態でパッキンの交換が可能である。したがって、膨大な配管設備においては、配管設置やメンテナンス作業の効率向上を図ることができる。さらに、設備の使用においては、信頼性の高い設備稼働を実現することができる。
（実施例２）
図４は、本発明の第２実施例に係る伸縮ユニオン継手の上部半截断面図及びその一部拡大断面図である。図５は、上記伸縮ユニオン継手に用いるスライド部材とそれに装着される自立密封型パッキンの斜視図である。図６は、スライド部材を図４のＥ方向からみた側面図である。
【００４７】
本実施例と第１実施例は、基本的構造は、同様であり、以下の点のみが相違する。以下、相違点のみを説明する。なお、図４から図６に用いる符号において、第１実施例と同一或いは共通する要素を示すものについては、第１実施例と同一の符号を用いている。
【００４８】
本実施例では、自立密封型パッキン７の収容溝８０の一部を構成する環状突起８１の一部円弧を、符号４０に示すようにカットした形状としたものである。このように構成することで、カット部４０を通して配管流体圧を自立密封型パッキンの内圧として応答良く導くことができる。すなわち、自立密封型パッキン７に、より強い内圧をかけてパッキン７をユニオンねじ３の内径部に押し当て、シール効果を高めることができる。
【００４９】
さらに、本実施例によれば、環状突起８１の一部をカットすることで、硬度を高く設定しているパッキン７であっても環状溝８０に容易に嵌め込むことができ、パッキンの装着作業の簡便性を図ることができる。
【００５０】
なお、このカット部４０を設ける場合には、流体圧力導入孔８３を環状突起８１から省略しても効果的であり、また、カット部４０と流体圧力導入孔８３とを組み合わせ使用しても良い。
【００５１】
なお、カット部の形状は、任意であり、例えばスリットのようなものでもよい。
（実施例３）
図７は、本発明の第３実施例に係る伸縮ユニオン継手の上部半截断面図及びその一部拡大断面図である。図８は、本実施例の伸縮ユニオン継手に用いる分割型ユニオンねじの一部要素（スライド部材８の挿入量を調整する部材）７０の斜視図である。
【００５２】
本実施例と第１実施例は、基本的構造は、同様であり、以下の点のみが相違する。以下、相違点のみを説明する。なお、図７から図８に用いる符号において、第１実施例と同一或いは共通する要素を示すものについては、第１実施例と同一の符号を用いている。
【００５３】
既述した第１実施例では、ユニオン継手に用いるユニオンねじ３は、袋状の筒状部材単品で構成するが、本実施例では、ユニオンねじは、ユニオンねじ本体３を袋状とせず、内径がストレート状にし、さらにユニオンねじの袋状に相当する部分を本体３よりも小径の筒状部材７０で構成したものである。すなわち、ユニオンねじは、その本体（大径筒状部材）３と小径筒状部材７０との2品で構成している。
【００５４】
この小径筒状部材７０は、ユニオンねじ本体３の内径に形成した雌ねじに螺子結合する雄ねじ部７２とフランジ部７０Ａとを有する。
【００５５】
小径筒状部材７０のユニオンねじ本体３に対する軸方向の位置を、その小径筒状部材のねじ込み量により調整可能である。それにより環状突起８２と筒状部品７０の先端面との距離Ｓを調整できる。
【００５６】
ロックボルト６は、６Ａと６Ｂとに分けられ、ロックボルト６Ａは、ユニオンねじ本体３に設けられ、小径筒状部材７０の外径部（雄ねじ部７２）を締め付けて、筒状部材７０の回り止めを行っている。一方、ロックボルト６Ｂは、小径筒状部材７０に設けられ、小径筒状部材７０の内径に挿通されるスライド部材８の外径部を締め付ける。これらのロックボルト６Ａ及び６Ｂは、いずれも２本以上であり、周方向に等間隔に配設されている。
【００５７】
小径筒状部材７０を介してスライド部材８のユニオンねじ３に対する挿入量が調整され、それにより第１及び第２実施例同様に、ユニオン継手と弁（又はフィルタ）１３との配管長（スライド部材の伸縮量）を調整可能である。
【００５８】
また、スライド部材８には、第1及び第２実施例同様のテーパ部Ｔが設けてあるので、小径筒状部材７０の内径とこのテーパ部Ｔとのギャップｇを利用して、ユニオン継手とスライド部材８間の相対的傾きを吸収することができる。
【００５９】
さらに、本実施例では、小径筒状部材７０とスライド部材８との間には、パッキン例えばゴム系パッキン７３が介在する。このパッキン７３は、スライド部材８と小径筒状部材７０間のシールとして機能するほかに、スライド部材８が小径筒状部材７０に対して傾きが生じたときの片当りの緩衝を行う機能を有する。
【図面の簡単な説明】
【００６０】
【図１】本発明の第1実施例に係る伸縮ユニオン継手の上部半截断面図及びその一部拡大断面図。
【図２】上記伸縮ユニオン継手の配管の一方として用いる管状のスライド部材とそれに装着される自立密封型パッキンの斜視図。
【図３】上記スライド部材を図１のＥ方向からみた側面図。
【図４】本発明の第２実施例に係る伸縮ユニオン継手の上部半截断面図及びその一部拡大断面図。
【図５】上記伸縮ユニオン継手に用いるスライド部材とそれに装着される自立密封型パッキンの斜視図。
【図６】上記スライド部材を図４のＥ方向からみた側面図。
【図７】本発明の第３実施例に係る伸縮ユニオン継手の上部半截断面図及びその一部拡大断面図。
【図８】第３実施例の伸縮ユニオン継手に用いる分割型ユニオンねじの一部要素（スライド部材の挿入量を調整する部材）７０の斜視図。
【図９】図９に本発明に係るユニオン継手が使用される流体移送配管系の一例を示す構成図。
【符号の説明】
【００６１】
１…配管、２…ユニオンつば、３…ユニオンねじ、４…ユニオンナット、６…ロックボルト、５…第１のパッキン、７…第２のパッキン（自立密封型パッキン）、８…管状スライド部材、１４…第1のパッキン（スクィーズパッキン）、８０…パッキン収容溝、８１、８２…環状突起、８３…圧力導入孔、４０…切り欠き。
【要約】
【課題】ユニオン継手による配管接続作業やメンテナンス作業の簡便性やユニオン継手の機能上の信頼性を高める。
【解決手段】ユニオン継手は、一方の配管部材１に接続されるユニオンつば２、他方の配管となるスライド部材８に接続されるユニオンつば３と、これらの部材2及び３を連結するユニオンナット４からなる。ユニオンねじ３の内径部に自立密封型パッキン７を介してスライド部材８の一部が挿入される。その挿入量がユニオンねじとの相対的な軸方向のスライドにより調整可能である。ユニオンねじ３には、ロックボルト６が設けられる。スライド部材８の外径部には、ユニオンねじに挿入される側からその反対側に向けて径が小さくなるようなテーパ部Ｔが設けられ、このテーパ部にロックボルト６の先端が締め付けにより当接する。
【選択図】図１【図１】
0004185161.tif 000002
【図２】
0004185161.tif 000003
【図３】
0004185161.tif 000004
【図４】
0004185161.tif 000005
【図５】
0004185161.tif 000006
【図６】
0004185161.tif 000007
【図７】
0004185161.tif 000008
【図８】
0004185161.tif 000009
【図９】
0004185161.tif 000010